(57)【要約】      （修正有）【課題】シャッター本体の下部に備えた錠装置の施錠状態を立ったままの楽な姿勢で解除操作可能とし、操作性の向上を図った建物開口部用シャッターを提供する。【解決手段】シャッター板２を上げ下げする巻上ドラムを内蔵したシャッターボックス４と、シャッター板を閉鎖位置に固定する錠装置１１とを有するシャッター１であって、錠装置に備えられた係合部と、縦枠に設けられたガイドレール６、６、又はシャッター枠の下枠７に具備され、係合部に係合する被係合部１６と、係合部と被係合部とが係合した施錠状態を上方へ移動又は回動により解除する解除部材１４と、を備え、解除部材に紐状又は棒状の遠隔操作部材１７を連結し、該遠隔操作部材には先端に摘み１９が具備され、摘みを上方に引き上げ操作することにより、解除部材が上方に移動又は回動されて錠装置が開錠されるとともに、シャッター板が上方に引き上げられる。【選択図】図１
2008303707.tif 000002
【特許請求の範囲】
【請求項１】
建物の開口に設けられる建物開口部用シャッター枠と、
前記シャッター枠の上部に設けられるとともに、シャッター板を上げ下げする巻上ドラムを内蔵したシャッターボックスと、
前記シャッター板の下部に具備され、該シャッター板を閉鎖位置に固定する錠装置と、を有するシャッターであって、
前記錠装置に備えられた係合部と、
前記縦枠に設けられたガイドレール、又は前記シャッター枠の下枠に具備され、前記係合部に係合する被係合部と、
前記係合部と前記被係合部とが係合した施錠状態を上方へ移動又は回動により解除する解除部材と、を備え、
前記解除部材に紐状又は棒状の遠隔操作部材を連結し、該遠隔操作部材には先端に摘みが具備され、
前記摘みを上方に引き上げ操作することにより、前記解除部材が上方に移動又は回動されて前記錠装置が開錠されるとともに、前記シャッター板が上方に引き上げられることを特徴とするシャッター。
【請求項２】
前記摘みには、磁石が備えられていることを特徴とする請求項１に記載のシャッター。
【請求項３】
前記遠隔操作部材は、立ったままの姿勢で前記解除レバーを操作可能な長さを備えていることを特徴とする請求項１又は２に記載のシャッター。
【請求項４】
前記遠隔操作部材は紐であることを特徴とする請求項１〜３のいずれか一項に記載のシャッター。
【請求項５】
前記錠装置は、前記シャッター板を閉鎖位置に押し下げることにより自動に施錠状態となることを特徴とする請求項１〜４のいずれか一項に記載のシャッター。
【請求項６】
請求項１〜５のいずれか一項に記載のシャッターを開放させる方法であって、
前記遠隔操作部材を上方に移動させて前記錠装置を開錠し、さらに該遠隔操作部材を上方に移動させて前記シャッター板を開放させることを特徴とするシャッター開放方法。
【発明の詳細な説明】
【技術分野】
【０００１】
本発明は、建物開口部用シャッターに係り、特にシャッター本体の下部に備えた錠装置の施錠状態を楽な姿勢で解除操作可能として操作性の向上を図った建物開口部用シャッターに関する。
【背景技術】
【０００２】
建物開口部用のシャッターは、建物の開口部を開閉すべく巻き上げ下げされるシャッター本体を備えている。特に、手動式のシャッターにおいては、開状態に巻き上げられて高い位置にあるシャッター本体の下端部を引き下げることが困難であることから、シャッター本体の下端部に紐や棒を取り付けてなるものが提案されている（実開昭６２−１１８８９２号公報、特公平６−３１５０３号公報等参照）。
【０００３】
一方、シャッターとしては、シャッター本体の下部にこれを開口部の最下部まで引き下げた閉鎖位置に固定するための錠装置を備えたものがある。
【特許文献１】実開昭６２−１１８８９２号公報
【特許文献２】特公平６−３１５０３号公報
【発明の開示】
【発明が解決しようとする課題】
【０００４】
しかしながら、シャッター本体の下部に錠装置を備えたシャッターにおいては、錠装置の施錠状態を解除する際に、立ったままの姿勢では錠装置に手が届かないため、一旦しゃがんで錠装置の施錠状態を解除しなければならず、操作に手間がかかっていた。
【０００５】
本発明は、前記事情を考慮してなされたもので、シャッター本体の下部に備えた錠装置の施錠状態を立ったままの楽な姿勢で解除操作可能とし、操作性の向上を図った建物開口部用シャッターを提供することを目的とする。
【課題を解決するための手段】
【０００６】
請求項１に記載の発明は、建物の開口に設けられる建物開口部用シャッター枠（３）と、シャッター枠の上部に設けられるとともに、シャッター板（２）を上げ下げする巻上ドラムを内蔵したシャッターボックス（４）と、シャッター板の下部に具備され、該シャッター板を閉鎖位置に固定する錠装置（１１）と、を有するシャッター（１）であって、錠装置に備えられた係合部と、縦枠に設けられたガイドレール（６、６）、又はシャッター枠の下枠（７）に具備され、係合部に係合する被係合部（１６）と、係合部と被係合部とが係合した施錠状態を上方へ移動又は回動により解除する解除部材（１４）と、を備え、解除部材に紐状又は棒状の遠隔操作部材（１７）を連結し、該遠隔操作部材には先端に摘み（１９）が具備され、摘みを上方に引き上げ操作することにより、解除部材が上方に移動又は回動されて錠装置が開錠されるとともに、シャッター板が上方に引き上げられることを特徴とするシャッターを提供することにより前記課題を解決する。
【０００７】
請求項２に記載の発明は、請求項１に記載のシャッター（１）において、摘み（１９）には、磁石（２０）が備えられていることを特徴とする。
【０００８】
請求項３に記載の発明は、請求項１又は２に記載のシャッター（１）において、遠隔操作部材（１７）は、立ったままの姿勢で前記解除レバーを操作可能な長さを備えていることを特徴とする。
【０００９】
請求項４に記載の発明は、請求項１〜３のいずれか一項に記載のシャッター（１）において、遠隔操作部材（１７）は紐であることを特徴とする。
【００１０】
請求項５に記載の発明は、請求項１〜４のいずれか一項に記載のシャッターにおいて、錠装置（１１）は、シャッター板（２）を閉鎖位置に押し下げることにより自動に施錠状態となることを特徴とする。
【００１１】
請求項６に記載の発明は、請求項１〜５のいずれか一項に記載のシャッター（１）を開放させる方法であって、遠隔操作部材（１７）を上方に移動させて錠装置（１１）を開錠し、さらに該遠隔操作部材を上方に移動させてシャッター板を開放させることを特徴とするシャッター開放方法を提供することにより前記課題を解決する。
【発明の効果】
【００１２】
本発明によれば、錠装置の係合部と被係合部との係合を解除する際にしゃがむ必要がなく、立ったままの楽な姿勢で錠装置の係合部と前記被係合部との係合を容易に解除することができ、操作性の向上が図れる。また、遠隔操作部材の引っ張り操作により、錠装置の解除とシャッター本体の引き上げの両方を行うことができる。
【発明を実施するための最良の形態】
【００１３】
以下に、本発明の実施の形態を添付図面に基いて詳述する。図１は本発明の実施である建物開口部用シャッターを室内側から見た斜視図、図２は同シャッターの要部拡大斜視図である。
【００１４】
図１ないし図２に示すように、建物開口部用シャッター１は建物の開口部を開閉すべく巻き上げ下げされるシャッター本体（シャッター板ともいう）２を備えている。更に具体的には、シャッター１は、建物の躯体に取付けられて前記シャッター本体２を上下方向に移動可能に支持するシャッター枠３と、このシャッター枠３の上部に設けられ、前記シャッター本体２を巻き上げる巻上ドラムを収容したシャッターボックス４とを備えている。
【００１５】
前記シャッター枠３は、建物の開口部の両側位置に配置される左右の縦枠５を備え、両縦枠５の対向部にはシャッター本体２の左右両側部を上下方向に案内するガイド溝（ガイドレール）６が設けられている。図示例のシャッター１は、窓サッシまたはテラスサッシの室外側に雨戸代りに設置されるタイプのものであり、そのシャッター枠３においては、左右の縦枠５の下端部間に掛け渡された下枠７を備えている。
【００１６】
前記シャッター本体２は、左右方向に細長い金属製板材（スラット）８をヒンジ部９を介してよろい状に上下方向につないでなり、下端に端板部（エンドスラット）１０を有している。そして、前記シャッター本体２の下部、例えば端板部１０の室内側には、シャッター本体２を開口部の最下部まで引き下げた閉鎖位置（全閉状態）に固定ないしロックするための錠装置１１が設けられている。
【００１７】
図示例の錠装置１１は、図示しない錠機構を内蔵したケーシング１２を有し、このケーシング１２の下部の切欠部１３には錠機構の図示しない係合部である係止部材が配置され、ケーシング１２の側部には錠機構の施錠状態を解除するための解除部材である解除レバー１４が突出されている。解除レバー１４の端部には、解除レバーを操作するための摘み１５が取付けられている。この錠装置１１は、シャッター本体２の端板部１０が閉鎖位置まで押し下げられると、係止部材が下枠７の対応する位置に設けられた被係合部である錠受けピン１６に当接する反力で回動することによりこの錠受けピン１６を抱え込むように係止（係合）して施錠状態となり、施錠後は前記解除レバー１４を上方に操作することにより施錠状態が解除されるように構成されている。
【００１８】
前記錠装置１１には、シャッター本体２を上げ下げ引張操作するための紐状の遠隔操作部材１７が連結され、この遠隔操作部材１７によりシャッター本体２を引き上げる操作により前記錠装置１１の係止部材と錠受けピン１６との係合すなわち施錠状態が解除されるように構成されている。具体的には、前記錠装置１１の解除レバー１４に遠隔操作部材１７が連結されている。図示例の遠隔操作部材１１は紐からなり、紐の一端を例えば解除レバー１４に設けられた小孔１８に通して結び付けることにより連結されている。なお、紐の一端は、解除レバー１４に単に結び付けてもよく、あるいは解除レバー１４の摘み１５に連結してもよい。
【００１９】
前記遠隔操作部材１７の他端（先端）には摘み１９が取付けられ、この摘み１９にはこれを不使用時にシャッター本体２に吸着保持させておくための磁石２０が取付けられている。前記遠隔操作部材１７は、立ったままの楽な姿勢で前記解除レバー１４を操作できる長さ、例えば４５ｃｍ程度に形成されている。シャッター本体２が閉鎖状態において、前記遠隔操作部材１７の摘み１９を掴んで上方へ引っ張ると、先ず解除レバー１４が上方へ回動操作されて錠装置１１の施錠状態が解除され、次いでシャッター本体２が上方へ引き上げられることになる。
【００２０】
従って、遠隔操作部材１７の引っ張り操作により、錠装置１１の解除とシャッター本体２の引き上げの両方を行うことができるようになっている。また、シャッター本体２を最上部まで巻き上げた開放状態においては、図２に仮想線で示すように、遠隔操作部材１７が錠装置１１の解除レバー１４から下方へ垂れ下がっているため、シャッターを閉める時にはその遠隔操作部材１７を下方へ引っ張ることにより、高い位置にあるシャッター本体２の端板部１０を下方へ容易に引き下げることができる。
【００２１】
以上の構成からなる建物開口部用シャッター１によれば、シャッター本体２の下部にシャッター本体２を閉鎖位置に固定する錠装置１１を備えた建物開口部用シャッター１であって、前記錠装置１１はシャッター本体両側のガイド溝６またはシャッター本体２の下方に設けられた錠受けピン（被係合部）１６に係合される係止部材（係合部）を備え、前記錠装置１１に閉鎖状態のシャッター本体２を上方に引き上げる紐状の遠隔操作部材１７を連結し、閉鎖状態のシャッター本体２を遠隔操作部材１７を引き上げる操作により、錠装置１１の係止部材と前記錠受けピン１６との係合を解除するように構成してなるため、錠装置１１の係止部材と前記錠受けピン１６との係合すなわち施錠状態を解除する際にしゃがむ必要がなく、立ったままの楽な姿勢で錠装置１１の施錠状態を容易に解除することができ、操作性の向上が図れる。具体的には、錠装置１１の解除レバー（解除部材）１４に遠隔操作部材１７が連結されているため、簡単な構造で確実に錠装置１１の施錠状態を解除することができる。
【００２２】
この場合、遠隔操作部材１１の引っ張り操作により、錠装置１１の解除とシャッター本体２の引き上げの両方を行うことができるので、操作性のより一層の向上が図れる。また、シャッター本体２を最上部まで巻き上げた開放状態においては、遠隔操作部材１７が錠装置１１の解除レバー１４から下方へ垂れ下がっているため、シャッターを閉める時にはその遠隔操作部材１７を下方へ引っ張ることにより、高い位置にあるシャッター本体２の端板部１０を下方へ容易に引き下げることができる。従って、一本の遠隔操作部材１７により合計三つの操作が可能であり、簡単な構造で操作性の著しい向上が図れる。
【００２３】
また、遠隔操作部材１７の先端の摘み１９には磁石２０が取付けられているため、閉鎖状態で施錠後は遠隔操作部材１７の先端をシャッター本体２における操作し易い位置に吸着保持させておくことができ、これにより、その後の錠装置１１の解除操作およびシャッターの開放操作を円滑に行うことができる。
【００２４】
以上、本発明の実施の形態を図面により詳述してきたが、本発明は前記実施の形態に限定されるものではなく、本発明の要旨を逸脱しない範囲での種々の設計変更等が可能である。例えば、遠隔操作部材としては、紐状と類似のベルト状やチェーン状であってもよく、または棒状であってもよい。遠隔操作部材の先端をシャッター閉鎖状態の不使用時にシャッター本体上の操作し易い位置に保持しておく手段としては、磁石以外に例えばシャッター本体のヒンジ部に引っ掛けておくためのフック等であってもよい。シャッター枠としては、下枠を有しないものもあり、この場合、シャッター本体の下方の床面に錠受け（被係合部）が設けられる。また、錠装置としては、係止部材をシャッター本体の両側から突出させてシャッター本体を閉鎖位置に固定するものであってもよい。
【００２５】
図３は、本発明の他の実施の形態である建物開口部用シャッターの要部斜視図である。本実施の形態において、前記実施の形態と同一部分は同一参照符号が付されている。本実施の形態の建物開口部用シャッター１においては、錠装置１１として、係合部である係止部材２１をシャッター本体２の両側から突出させてシャッター本体２を閉鎖位置に固定する構造のものが採用されている。シャッター本体２の端板部１０は、中空に形成され、その中間部の室内側を切除した部分に錠装置１１の図示しない錠機構を収容したケーシング１２が取付けられている。この錠装置１１は、施錠レバー２２と解除レバー１４を備え、シャッターを閉めた状態で施錠レバー２２の操作で端板部１０の両端から係止部材２１を突出させて縦枠のガイド溝に設けられた被係合部である受け座（図示省略）に係止（係合）させることにより施錠状態となり、解除レバー１４を引き上げる操作で施錠状態が解除されるように構成されている。
【００２６】
前記解除レバー１４には、棒状の遠隔操作部材１７が連結手段例えばユニバーサルジョイント２３を介して連結されており、施錠状態においてこの遠隔操作部材１７を上方に引っ張ることにより、立ったままの楽な姿勢で錠装置１１の施錠状態を容易に解除することができるようになっている。遠隔操作部材１７の先端部には摘み１９が設けられ、この摘み１９にはこれをシャッター本体２に吸着保持するための磁石（図示省略）が取付けられている。
【００２７】
シャッター本体２を最上部まで巻き上げた開放状態においては、遠隔操作部材１７が仮想線で示すように下方へ回動されて垂下されているため、シャッターを閉める時にはその遠隔操作部材１７を下方へ引っ張ることにより、高い位置にあるシャッター本体２の端板部１０を下方へ容易に引き下げることができるようになっている。従って、以上の構成からなる本実施の形態の建物開口部用シャッターにおいても、前記実施の形態のシャッターと同様の作用効果を奏することができる。
【図面の簡単な説明】
【００２８】
【図１】本発明の実施の形態である建物開口部用シャッターを室内側から見た斜視図である。
【図２】同シャッターの要部拡大斜視図である。
【図３】本発明の他の実施の形態である建物開口部用シャッターの要部斜視図である。
【符号の説明】
【００２９】
１  建物開口部用シャッター
２  シャッター本体
６  ガイド溝（ガイドレール）
１１  錠装置
１４  解除レバー（解除部材）
１６  錠受けピン（被係合部）
１７  遠隔操作部材
１９  摘み
【図１】
2008303707.tif 000003
【図２】
2008303707.tif 000004
【図３】
2008303707.tif 000005
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
建物の開口部の両側位置に設けられる縦枠と、前記縦枠の下端部間に掛け渡された下枠と、を備えた建物開口部用シャッター枠と、
前記シャッター枠の上部に設けられるとともに、シャッター板を上げ下げする巻上ドラムを内蔵したシャッターボックスと、
前記シャッター板の下部に具備され、該シャッター板を閉鎖位置に固定する錠装置と、を有するシャッターであって、
前記錠装置には、ケーシングを有し、このケーシングの下部の切欠部には前記下枠に設けられた被係合部である錠受けピンに係合される係合部を配置すると共に係合部と被係合部が係合した施錠状態を解除可能に上方へ移動又は回動可能に形成された、
解除部材を備え、前記解除部材にシャッター板を上げ下げ引張操作するための紐状の遠隔操作部材の一端を連結し、他端には磁石を備えた摘み部が具備されるとともに、
前記摘み部を上方に引き上げ操作することにより、前記解除部材が上方に移動又は回動されて前記錠装置が開錠されるとともに、前記シャッター板が上方に引き上げられ、前記摘み部を下方に引き下げ操作して、前記シャッター板を閉鎖位置に押し下げることにより前記錠装置は自動に施錠状態となり、１本の前記遠隔操作部材で前記施錠装置の開錠、前記シャッター板の引き上げ、及び前記シャッター板の引き下げが可能であることを特徴とするシャッター。
【請求項２】
前記遠隔操作部材は、立ったままの姿勢で前記解除部材を操作可能な長さに備えていることを特徴とする請求項１に記載のシャッター。
【請求項３】
請求項１又は２に記載のシャッターを開放させる方法であって、
前記遠隔操作部材を上方に移動させて前記錠装置を開錠し、さらに該遠隔操作部材を上方に移動させて前記シャッター板を開放させることを特徴とするシャッター開放方法。
【手続補正２】
【補正対象書類名】明細書
【補正対象項目名】０００６
【補正方法】変更
【補正の内容】
【０００６】
請求項１に記載の発明は、建物の開口部の両側位置に設けられる縦枠と、縦枠の下端部間に掛け渡された下枠と、を備えた建物開口部用シャッター枠（３）と、シャッター枠の上部に設けられるとともに、シャッター板（２）を上げ下げする巻上ドラムを内蔵したシャッターボックス（４）と、シャッター板の下部に具備され、該シャッター板を閉鎖位置に固定する錠装置（１１）と、を有するシャッター（１）であって、錠装置には、ケーシング（１２）を有し、このケーシングの下部の切欠部には下枠に設けられた被係合部である錠受けピンに係合される係合部を配置すると共に係合部と被係合部（１６）が係合した施錠状態を解除可能に上方へ移動又は回動可能に形成された、解除部材（１４）を備え、解除部材にシャッター板を上げ下げ引張操作するための紐状の遠隔操作部材（１７）の一端を連結し、他端には磁石（２０）を備えた摘み部（１９）が具備されるとともに、摘み部を上方に引き上げ操作することにより、解除部材が上方に移動又は回動されて錠装置が開錠されるとともに、シャッター板が上方に引き上げられ、摘み部を下方に引き下げ操作して、シャッター板を閉鎖位置に押し下げることにより錠装置は自動に施錠状態となり、１本の遠隔操作部材で施錠装置の開錠、シャッター板の引き上げ、及びシャッター板の引き下げが可能であることを特徴とするシャッターを提供することにより前記課題を解決する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の発明は、請求項１に記載のシャッター（１）において、遠隔操作部材（１７）は、立ったままの姿勢で前記解除部材を操作可能な長さに備えていることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項３に記載の発明は、請求項１又は２に記載のシャッター（１）を開放させる方法であって、遠隔操作部材（１７）を上方に移動させて錠装置（１１）を開錠し、さらに該遠隔操作部材を上方に移動させてシャッター板を開放させることを特徴とするシャッター開放方法を提供することにより前記課題を解決する。